(57)【要約】【課題】枠台紙付きのアルバムを作成するためのトリミング作業が簡単に行えるプリント用画像データ生成システム、プリント作成システム及びプリント用画像データ生成プログラムを提供すること。【解決手段】枠台紙の画像を記憶する枠台紙記憶手段と、他の画像を入力する画像入力手段と、トリミング対象画像である前記他の画像の上に前記記憶手段に記憶された枠台紙の画像を重ねて表示する表示手段と、該枠台紙の画像の下に表示されたトリミング対象画像の位置、大きさ、傾きの少なくとも１つを変更するトリミング処理を行うトリミング処理手段と、前記トリミング処理後のトリミング対象画像に基づいて、枠台紙の画像との相対関係が保たれるようにプリント用画像データを生成するプリント用画像データ生成手段とを備えたことを特徴とするプリント用画像データ生成システム。【選択図】        図２
2005064916.tif 000002
【特許請求の範囲】
【請求項１】
枠台紙の画像を記憶する枠台紙記憶手段と、他の画像を入力する画像入力手段と、
トリミング対象画像である前記他の画像の上に前記記憶手段に記憶された枠台紙の画像を重ねて表示する表示手段と、
該枠台紙の画像の下に表示されたトリミング対象画像の位置、大きさ、傾きの少なくとも１つを変更するトリミング処理を行うトリミング処理手段と、
前記トリミング処理後のトリミング対象画像に基づいて、枠台紙の画像との相対関係が保たれるようにプリント用画像データを生成するプリント用画像データ生成手段とを備えたことを特徴とするプリント用画像データ生成システム。
【請求項２】
前記入力された他の画像を記憶する画像記憶手段と、前記表示手段においてトリミング対象画像とされる他の画像を前記画像記憶手段から選択するトリミング画像選択手段とを有することを特徴とする請求項１記載のプリント用画像データ生成システム。
【請求項３】
前記表示手段で表示する枠台紙の画像を選択する枠台紙選択手段とを有することを特徴とする請求項１又は２記載のプリント用画像データ生成システム。
【請求項４】
請求項１〜３の何れかに記載のプリント用画像データ生成システムで生成されたプリント用画像をプリントするプリント手段を有するプリント作成システム。
【請求項５】
コンピュータを、画像入力手段で入力されたトリミング対象画像である他の画像の上に枠台紙記憶手段に記憶された枠台紙の画像を重ねて表示する表示手段上に表示させる手段と、
該枠台紙の画像の下に表示されたトリミング対象画像の位置、大きさ、傾きの少なくとも１つを変更するトリミング処理を行うトリミング処理手段と、
前記トリミング処理後のトリミング対象画像に基づいて、枠台紙の画像との相対関係が保たれるようにプリント用画像データを生成するプリント用画像データ生成手段として機能させることを特徴とするプリント用画像データ生成プログラム。
【請求項６】
コンピュータを、前記入力された他の画像を記憶する画像記憶手段から、前記表示手段においてトリミング対象画像とされる他の画像を選択するトリミング画像選択手段として機能させることを特徴とする請求項５記載のプリント用画像データ生成プログラム。
【請求項７】
コンピュータを、前記表示手段で表示する枠台紙の画像を選択する枠台紙選択手段として機能させることを特徴とする請求項５又は６記載のプリント用画像データ生成プログラム。
【発明の詳細な説明】
【技術分野】
【０００１】
本発明は、プリント用画像データ生成システム、プリント作成システム及びプリント用画像データ生成プログラムに関し、詳しくは枠台紙を用いたトリミング作業が簡単に行えるプリント用画像データ生成システム、プリント作成システム及びプリント用画像データ生成プログラムに関する。
【背景技術】
【０００２】
スタジオ写真館においては、例えば新郎新婦を撮影した写真のような場合、楕円状の枠台紙に新郎新婦の被写体像が収まるようなアルバムを作成する場合がある。
【０００３】
従来、楕円状の枠台紙に新郎新婦の被写体像を収めるアルバムを得る場合、新郎新婦を撮影した写真プリントの上に枠台紙を置いて、写真プリントを移動して新郎新婦の姿を最適な位置に調整してトリミングを行っていた。
【０００４】
しかし、撮影されたプリントを枠台紙に重ねて新郎新婦を最適な状態となるように一枚一枚移動して、余分な部分はカットしたりしてトリミングすることは容易ではなかった。
【０００５】
近年、デジタル写真化が進み、画像上でトリミングすることも考えられるが、いまだ有効なトリミング手段がないのが実情であった。
【発明の開示】
【発明が解決しようとする課題】
【０００６】
そこで、本発明は、枠台紙付きのアルバムを作成するためのトリミング作業が簡単に行えるプリント用画像データ生成システム、プリント作成システム及びプリント用画像データ生成プログラムを提供することを課題とする。
【０００７】
また、本発明の他の課題は以下の記載から明らかになる。
【課題を解決するための手段】
【０００８】
上記課題は以下の各発明によって解決される。
【０００９】
（請求項１）枠台紙の画像を記憶する枠台紙記憶手段と、他の画像を入力する画像入力手段と、トリミング対象画像である前記他の画像の上に前記記憶手段に記憶された枠台紙の画像を重ねて表示する表示手段と、該枠台紙の画像の下に表示されたトリミング対象画像の位置、大きさ、傾きの少なくとも１つを変更するトリミング処理を行うトリミング処理手段と、前記トリミング処理後のトリミング対象画像に基づいて、枠台紙の画像との相対関係が保たれるようにプリント用画像データを生成するプリント用画像データ生成手段とを備えたことを特徴とするプリント用画像データ生成システム。
【００１０】
（請求項２）前記入力された他の画像を記憶する画像記憶手段と、前記表示手段においてトリミング対象画像とされる他の画像を前記画像記憶手段から選択するトリミング画像選択手段とを有することを特徴とする請求項１記載のプリント用画像データ生成システム。
【００１１】
（請求項３）前記表示手段で表示する枠台紙の画像を選択する枠台紙選択手段とを有することを特徴とする請求項１又は２記載のプリント用画像データ生成システム。
【００１２】
（請求項４）請求項１〜３の何れかに記載のプリント用画像データ生成システムで生成されたプリント用画像をプリントするプリント手段を有するプリント作成システム。
【００１３】
（請求項５）コンピュータを、画像入力手段で入力されたトリミング対象画像である他の画像の上に枠台紙記憶手段に記憶された枠台紙の画像を重ねて表示する表示手段上に表示させる手段と、該枠台紙の画像の下に表示されたトリミング対象画像の位置、大きさ、傾きの少なくとも１つを変更するトリミング処理を行うトリミング処理手段と、前記トリミング処理後のトリミング対象画像に基づいて、枠台紙の画像との相対関係が保たれるようにプリント用画像データを生成するプリント用画像データ生成手段として機能させることを特徴とするプリント用画像データ生成プログラム。
【００１４】
（請求項６）コンピュータを、前記入力された他の画像を記憶する画像記憶手段から、前記表示手段においてトリミング対象画像とされる他の画像を選択するトリミング画像選択手段として機能させることを特徴とする請求項５記載のプリント用画像データ生成プログラム。
【００１５】
（請求項７）コンピュータを、前記表示手段で表示する枠台紙の画像を選択する枠台紙選択手段として機能させることを特徴とする請求項５又は６記載のプリント用画像データ生成プログラム。
【発明の効果】
【００１６】
本発明によれば、枠台紙付きのアルバムを作成するためのトリミング作業が簡単に行えるプリント用画像データ生成システム、プリント作成システム及びプリント用画像データ生成プログラムを提供することができる。
【発明を実施するための最良の形態】
【００１７】
以下、本発明の実施の形態について図面を参照して説明する。
【００１８】
図１は、本発明のプリント用画像データ生成プログラムの処理を実現するプリント用画像データ生成システムの概略構成の一例を示す図である。
【００１９】
図１において、本発明のプリント用画像データ生成システムは、各種処理を行うコンピュータ１００、画像の入力を行うスキャナ２００、画像の表示を行う表示手段としてのモニタ３００、各種入力を行うキーボード４００及びマウス５００により構成されている。
【００２０】
コンピュータ１００は本発明のプリント用画像データ生成プログラムをインストールすることにより、スキャナ２００、モニタ３００、キーボード４００及びマウス５００を制御しつつ各種処理を行う。
【００２１】
スキャナ２００は、トリミング対象画像となる他の画像の画像データを入力する。具体的には、トリミング処理したい画像が記録された原稿をスキャンして画像データを生成する。生成した画像データはコンピュータ１００に送信される。
【００２２】
モニタ３００は、コンピュータ１００の制御に基づいてスキャナ２００等において入力された他の画像をトリミング対象画像として該画像の上に枠台紙の画像を重ねて表示する。モニタ３００は、必要に応じてタッチパネルの機能を持ち、入力装置を兼ねることもできる。
【００２３】
キーボード４００及びマウス５００は、トリミング対象画像をトリミングするトリミング処理、その他、画像記憶手段に記憶された他の画像からトリミング対象画像とする画像を選択するトリミング画像選択処理、枠台紙記憶手段に記憶された枠台紙の画像から表示手段で表示する枠台紙の画像を選択する枠台紙選択処理等において、必要に応じてユーザが入力するための装置として用いられる。
【００２４】
また、本発明のプリント用画像データ生成システムにおいてコンピュータ１００は図示しない通信手段によって外部装置とデータの送受をすることができることが好ましい。通信手段は、有線と無線のいずれでもよく、インターネット、ＬＡＮ、専用の通信回線等、その形態は問わない。
【００２５】
本発明において、前記画像のうち、被写体像が表示される画像を「他の画像」といい、トリミング対象となる画像のことをいう。また、他の画像の上に重ねられる枠台紙の形状を模した画像を「枠台紙の画像」という。枠台紙は、下に重ねた画像が見えるように１枚の台紙の然るべき位置をくりぬいて表示窓を設けた台紙であり、該枠台紙を被写体像が表示された画像の上に重ねることによって、被写体像のフレームとなる。
【００２６】
図２はプリント用画像データ生成システムに用いられるコンピュータ１００のブロック図である。
【００２７】
コンピュータ１００は、プリント用画像データ生成システムの各部を制御するメイン制御部１０１と、プログラムを格納したり枠台紙画像やその他各種データを記憶したりする主記憶部１０２と、画像の入力を受け付ける画像入力部１０３と、表示手段の表示を制御する表示制御部１０４と、ユーザの操作入力を受け付ける操作入力部１０５と、トリミング処理を行うトリミング処理部１０６と、トリミング画像を選択する処理を行うトリミング画像選択処理部１０７と、枠台紙の画像を選択する枠台紙選択処理を行う枠台紙選択処理部１０８と、プリント用画像データを生成する処理を行うプリント用画像データ生成部１０９、外部装置とのデータの送受を行うための外部通信部１１０とを備えている。
【００２８】
本発明のプリント用画像データ生成システムにおいて、トリミング画像選択処理部１０７、枠画像選択処理部１０８は好ましく設けられる構成である。
【００２９】
トリミング画像選択処理部１０７を設けて、前記主記憶部１０２を前記入力された他の画像を記憶する画像記憶手段として機能させて、該トリミング画像選択処理部１０７によりトリミング対象とされる他の画像を選択すると、複数の画像の中から選択的にトリミングすることができるので、トリミングしたい画像としない画像とが混在して入力された場合に、便利である。
【００３０】
枠画像選択処理部１０８を設けて、枠台紙の画像を記憶した枠台紙記憶手段としての主記憶部１０２から、該枠画像選択処理部１０８により表示手段で表示する枠台紙の画像を選択すると、複数の枠台紙から選択できるので、トリミング対象となる画像に合った枠台紙を選択して表示させることができる。
【００３１】
次に、本発明のプリント用画像データ生成プログラムによって制御されて実現するプリント用画像データ生成システムの動作について以下詳細に説明する。
【００３２】
図３は、本発明のプリント用画像データ生成プログラムによって制御される図１のプリント用画像データ生成システムの処理フローを示す図である。
【００３３】
図３において、画像入力手段で処理画像の画像データを他の画像として入力する（Ｓ１）。
【００３４】
画像データの入力のトリガーとしては、図示しないキーボードやマウス等の入力手段によりユーザの画像データを入力する旨の指示を受け付けたこと、あるいはコンピュータの図示しない制御部（本発明のプリント用画像データ生成プログラムが処理されることによって実現する）が自動的に所定のタイミングと判断したことがトリガーとなる。
【００３５】
画像データの入力は、画像入力部１０３において制御部の制御に基づいて画像データを取得することによりなされる。具体的には、上記のいずれかのトリガーがあったと判断されたときに、スキャナ２００から原稿をスキャンすることによって生成した画像データを取得したり、画像データを記録した例えばコンパクトフラッシュ（登録商標）、スマートメディア、メモリースティック（登録商標）、マルチメディアカード、ＳＤメモリーカード、フレキシブルディスク、ＭＯ、ＣＤ−Ｒ等の外部記録媒体から又は外部通信部１１０を介して画像データを取得する。
【００３６】
次いで、前記画像入力手段で入力されたトリミング対象画像である他の画像の上に枠台紙記憶手段に記憶された枠台紙の画像を重ねて表示する表示手段上に表示させる（Ｓ２）。
【００３７】
枠台紙の画像は、予め枠台紙記憶手段として機能する主記憶部１０２に記憶されている。
【００３８】
表示制御部１０４は、Ｓ１の処理で入力された他の画像をトリミング対象画像として表示手段に表示させ、該トリミング対象画像の上に枠台紙の画像を重ねて表示手段に表示させる。
【００３９】
表示手段としてのモニタ３００における表示を、例えば、図４に示すように、入力された他の画像を画像記憶手段で記憶して表示した場合について説明する。モニタ３００には、トリミング処理前の他の画像１０ａ、１０ｂ、１０ｃ、１０ｄ、１０ｅが表示され、トリミング画像表示領域１１には、トリミング対象画像１２の上に枠台紙の画像１３が重ねて表示されている。図４の例では、枠台紙の画像１３の大きさとトリミング画像領域１１の大きさが同一となる場合が示されている。また、モニタ３００上には、後述するトリミング処理を行うためのトリミング操作部１４が表示され、また、必要に応じて、色補正を行うための色補正操作部１５、トリミング処理後の画像である処理済画像１６が表示されている。
【００４０】
Ｓ２において表示する際に、入力された他の画像を画像記憶手段に記憶しておいて、該記憶された他の画像の中から、表示手段で枠台紙と重ねて表示するトリミング対象画像を選択することができることが好ましい。例えば、図４に示す表示がされている場合に、トリミング対象画像としたい画像をマウス等のポインタデバイスにより指示し、クリックして選択すると、トリミング画像選択処理部１０７が、選択された画像をトリミング対象画像としてトリミング画像表示領域１１に表示させるように表示制御部１０４に指示を行う。画像を入力した順番と関係なく、トリミング処理をしたい場合に好適である。
【００４１】
また、Ｓ２において表示する際に、他の画像の上に重ねて表示する枠台紙の画像を選択することができることは好ましい。例えば、図５に示すように、複数の枠台紙の画像をシチュエーション毎に用意したデータテーブルを設けて、シチュエーションを選択すると、図５のデータテーブルの複数の枠台紙の画像を表示手段に表示させる。更に、該複数の枠台紙の画像からトリミング画像表示領域１１に表示させたい枠台紙の画像をマウス等のポインタデバイスにより指示し、クリックして選択すると、枠画像選択処理部１０８が、選択された画像を枠画像としてトリミング対象画像表示領域１１に表示させるように表示制御部１０４に指示を行う。
【００４２】
次いで、枠台紙の画像の下に表示されたトリミング対象画像の位置、大きさ、傾きの少なくとも１つを変更するトリミング処理を行う（Ｓ３）。
【００４３】
トリミング処理は、具体的には、例えば、図６（ａ）に示すような被写体像１２ａを有するトリミング対象画像１２と、図６（ｂ）に示すような、下に重ねた画像が表示される表示窓１３ａを有する枠台紙画像１３とが、トリミング画像領域１１に図７（ａ）の状態に示すように表示されている場合は、トリミング対象画像１２の位置を、図７（ｂ）に示すように、被写体像１２ａが枠台紙の表示窓１３ａの好ましい位置に表示されるまで図面左上に変更させることによって行う。
【００４４】
上記トリミング処理を行うためには、トリミング対象画像１２の位置、大きさ、傾きの少なくとも１つを変更することができる。例えば、図４に示すようにモニタ３００に表示した場合、トリミング操作部１４の位置変更ボタン１４ａ、大きさ変更ボタン１４ｂ、傾き変更ボタン１４ｃによりトリミング対象画像の位置、大きさ、傾きをそれぞれ変更することによって行うことができる。例えば、トリミング画像領域１１に表示されたトリミング対象画像１２を枠台紙画像１３より相対的に大きくしたい場合は、大きさ変更ボタン１４ｂの「拡大」をマウス等のポインティングデバイスにより指示し、クリックして選択する。該選択の入力を受けて、トリミング処理部１０６は枠台紙画像１３の下に表示されたトリミング対象画像１２の大きさを拡大して表示させる旨の指示を表示制御部１０４に行う。
【００４５】
次いで、前記トリミング処理後のトリミング対象画像に基づいて、枠台紙の画像との相対関係が保たれるようにプリント用画像データを生成する（Ｓ４）。
【００４６】
プリント用画像データは、例えば、図７に示すようなトリミング処理が行われた場合、トリミング後の他の画像の枠台紙と重なる部分のみを残して、枠台紙の画像の外枠と同じ形状、大きさの画像となるように処理して図８に示すようなプリントを得られるように生成される。図８の場合は、左端部１７ａと下端部１７ｂの画像が不足しているので、その部分を黒データやその他の適当なデータで補充して枠台紙の画像の外枠と同じ形状で同じ大きさの画像となるようにプリント用画像データ１７が生成される。
【００４７】
プリント用画像データは、枠台紙の画像が表示されたままの画像データが生成されてもよい。
【００４８】
相対関係が保たれるようにとは、プリント用画像データに基づいて枠台紙の画像と同じ大きさでプリントして、プリントされた画像を枠台紙の画像の下に重ねた場合に、被写体像と枠台紙とが、トリミング画像領域１１で表示された関係が保たれるようになるということである。即ち、プリント用画像データ１７の被写体像１７ｃが、前記トリミング画像領域１１で表示された被写体像１２ａの枠台紙の表示窓１３ａに対する比率と同じになるようにプリント用画像データ１７を生成することである。
【００４９】
上記のプリント用画像データ生成システムによりプリント用画像データが生成されたら、プリントしてプリントを得るための図示しないプリント手段を設けてプリント作成システムとすることもできる。プリント手段は、特に限定されず、レーザープリント、インクジェット、印画紙プリントなどのいずれの手段であってもよい。
【００５０】
本発明のプログラムは、プリント用画像データ生成を行う写真スタジオなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【００５１】
尚、上記の態様では、メイン制御部１０１と表示制御部１０４、トリミング処理部１０６、トリミング画像選択処理部１０７、枠画像選択処理部１０８、プリント用画像データ生成部１０９とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【図面の簡単な説明】
【００５２】
【図１】本発明のプリント用画像データ生成プログラムの処理を実現するプリント用画像データ生成システムの概略構成の一例を示す図
【図２】プリント用画像データ生成システムに用いられるコンピュータの一例を示すブロック図
【図３】本発明のプリント用画像データ生成プログラムによって制御されるプリント用画像データ生成システムの処理フローを示す図
【図４】表示手段における表示例
【図５】枠台紙の画像のデータテーブルの一例を示す図
【図６】本発明におけるトリミング処理を説明するための図
【図７】本発明におけるトリミング処理を説明するための他の図
【図８】プリント用画像データの一例を示す図
【符号の説明】
【００５３】
１００：コンピュータ
１０１：メイン制御部
１０２：主記憶部
１０３：画像入力部
１０４：表示制御部
１０５：操作入力部
１０６：トリミング処理部
１０７：トリミング画像選択処理部
１０８：枠台紙選択処理部
１０９：プリント用画像データ生成部
１１０：外部通信部
２００：スキャナ
３００：モニタ
４００：キーボード
５００：マウス
１０ａ、１０ｂ、１０ｃ、１０ｄ、１０ｅ：トリミング処理前の他の画像
１１：トリミング画像表示領域
１２：トリミング対象画像
１３：枠台紙の画像
１４：トリミング操作部
１５：色補正操作部
１６：処理済画像
【図１】
2005064916.tif 000003
【図２】
2005064916.tif 000004
【図３】
2005064916.tif 000005
【図４】
2005064916.tif 000006
【図５】
2005064916.tif 000007
【図６】
2005064916.tif 000008
【図７】
2005064916.tif 000009
【図８】
2005064916.tif 000010